(57)【特許請求の範囲】
【請求項１】
柄の先端部に複数の鉤を放射状に張り出して設けた釣用すくいあげ具において、前記放射状に張り出す各鉤の基部を、前記柄の軸を含む平面内で回動自在に柄の先端部に取り付け、各鉤を放射状に張り出す方向に付勢するばねと、各鉤の基部の回動角度を規制するストッパとを設けたことを特徴とする釣用すくいあげ具。
【請求項２】
前記各鉤を折り畳んだ状態で収納するケースを備えた請求項１に記載の釣用すくいあげ具。
【請求項３】
前記柄が複数の柄部材を長手方向に互いにスライド可能に連結して伸縮自在としたものであり、前記複数の柄部材から前記各鉤が取り付られる最先端の柄部材を除いた残りの各柄部材のうちのいずれかひとつの先端部に前記ケースを設け、前記最先端の柄部材と前記ケースを設けた柄部材のそれぞれの先端位置が概ね揃うように柄を縮めたときに、前記各鉤を折り畳んで前記ケースに収納できるようにした請求項２に記載の釣用すくいあげ具。
【請求項４】
前記各鉤が張り出した状態で各鉤の基部の回動を固定する手段を設けた請求項１乃至３のいずれかに記載の釣用すくいあげ具。
【発明の詳細な説明】
【０００１】
【発明の属する技術分野】
この発明は、イカ釣り等で使用される鉤式の釣用すくいあげ具に関する。
【０００２】
【従来の技術】
釣用すくいあげ具には、釣った獲物を網ですくい上げる網式のものと、獲物を鉤で引っ掛けてすくい上げる鉤式のものとがある。イカ釣りにおいては、網式のすくいあげ具では、イカが足を網の外に出して逃げやすいので、鉤式のすくいあげ具がよく使用される。このイカ釣りでよく使用される鉤式のすくいあげ具は、柄の先端部に複数の鉤が放射状に張り出して設けられており、持ち運ぶときに張り出した鉤で人が怪我をすることがある。
【０００３】
この鉤式すくいあげ具による事故を防ぐために、本発明の出願人は、特開２００１−３２１０５３号公報に記載されている釣用すくいあげ具を提案した。このすくいあげ具は、各鉤の基部を柄の軸を含む平面内で柄の先端部に回動自在に取り付け、各鉤が放射状に張り出した状態で各鉤の基部の回動を固定する手段を設けて、釣りをするときは各鉤を固定して使用し、使用後は各鉤を折り畳むことにより安全に持ち運べるようにしたものである。
【０００４】
【発明が解決しようとする課題】
しかしながら、上述したすくいあげ具は、使い勝手の面で若干の改善の余地があった。すなわち、釣りに使用するときには、回動自在に取り付けられた鉤を放射状に張り出した状態に固定する必要があり、鉤が固定されたままの従来のものに比べると僅かながら準備に手間がかかる。また、使用後に持ち運ぶときには鉤の固定状態を解除してから折り畳む必要があるため、このときにも従来より多少手間がかかる。そして、実際には、これらの手間を嫌って鉤を折り畳まずに持ち運び、人に怪我をさせてしまう場合も起こりうる。
【０００５】
そこで、この発明の課題は、安全に持ち運ぶことができ、かつ使い勝手のよい釣用すくいあげ具を提供することである。
【０００６】
【課題を解決するための手段】
上記の課題を解決するため、この発明は、柄の先端部に複数の鉤を放射状に張り出して設けた釣用すくいあげ具において、前記放射状に張り出す各鉤の基部を、前記柄の軸を含む平面内で回動自在に柄の先端部に取り付け、各鉤を放射状に張り出す方向に付勢するばねと、各鉤の基部の回動角度を規制するストッパとを設けた構成を採用したのである。
【０００７】
すなわち、柄の先端部に基部を回動自在に取り付けられた各鉤を、ばねで放射状に張り出す方向に付勢するとともに、各鉤の基部の回動角度を規制するストッパを設けることにより、各鉤をばねの力のみで所定の角度まで張り出させることができ、また張り出した各鉤をばねの力に抗して回動させるだけで簡単に折り畳めるようにしたのである。
【０００８】
前記各鉤を折り畳んだ状態で収納するケースを備えることにより、折り畳んだ各鉤をケースに収納するだけで持ち運べる状態となり、持ち運びの際の手間をより少なくすることができる。
【０００９】
前記柄が複数の柄部材を長手方向に互いにスライド可能に連結して伸縮自在としたものである場合は、前記複数の柄部材から前記各鉤が取り付られる最先端の柄部材を除いた残りの各柄部材のうちのいずれかひとつの先端部に前記ケースを設け、前記最先端の柄部材と前記ケースを設けた柄部材のそれぞれの先端位置が概ね揃うように柄を縮めたときに、前記各鉤を折り畳んで前記ケースに収納できるようにすることにより、釣りを始めるときに、それまで縮めていた柄を伸ばすと同時に鉤がケースから脱出して放射状に張り出すようにして、釣りの準備にかかる手間を少なくすることができる。
【００１０】
前記各鉤が張り出した状態で各鉤の基部の回動を固定する手段を設けることにより、大きい獲物を釣ろうとする場合に、各鉤の基部の回動を固定して、各鉤の鉤先が獲物の重量により所定の角度以上に開くことを防ぎ、確実に獲物をすくい上げられるようにすることができる。
【００１１】
【発明の実施の形態】
以下、図１乃至図５に基づき、この発明の実施形態を説明する。図１は、実施形態の釣用すくいあげ具を持ち運ぶときの状態を示す。このすくいあげ具は、伸縮自在な柄１の先端部に複数の鉤２を支持部材３を介して折り畳み可能に取り付け、これらの各鉤２を折り畳んだ状態で収納するケース４を柄１と一体に設けて、安全に持ち運べるようにしたものである。また、持ち運んでいる間に各鉤２がケース４から脱出しないように、ケース４の先端側の開口縁部には、ケース４の開口を塞ぐキャップ５が嵌め合わされている。
【００１２】
前記柄１は、鉤２が取り付けられた最先端の柄部材１ａおよび径の異なる５本の筒状の柄部材１ｂを、長手方向に互いにスライド可能に連結して伸縮自在としたもので、持ち運ぶときには、図１に示したように、各柄部材１ａ、１ｂのそれぞれの先端位置が概ね揃うように縮めることができる。
【００１３】
これらの各柄部材１ａ、１ｂのうち、５本の筒状柄部材１ｂは、最小径の柄部材１ｂの先端に丸ナット６が取り付けられて、その外径に円筒状のゴム部材７が嵌め込まれており、このゴム部材７を最大径の柄部材１ｂの先端部内径に圧入することにより、縮めた状態が保持されるようになっている。また、丸ナット６にケース４の基端側に設けたボルト状の取付金具８をねじ込むことにより、最小径の柄部材１ｂの先端にケース４が取り付けられている。
【００１４】
なお、丸ナットとゴム部材を含めた５本の筒状柄部材のユニットには、一般的な網式すくいあげ具の柄の部分（玉の柄）を利用することができる。また、ケースは必ずしも最小径の柄部材に取り付ける必要はなく、他の筒状柄部材の先端に取り付けるようにしてもよい。
【００１５】
一方、最先端の柄部材１ａは、最小径の筒状柄部材１ｂの先端にねじ結合されたケース取付金具８の貫通孔８ａに通されて、長手方向にスライド可能となっている。また、その先端にはねじ部が形成されて前記各鉤２が取り付けられており、このねじ部から所定の距離をおいて段差部が設けられている。さらに、図２にも示すように、この先端ねじ部にねじ込まれた支持部材３の外周に巻いた針金９に、各鉤２の基部２ａが柄１の軸を含む平面内で回動自在に取り付けられて、各鉤２が折り畳み可能となっている。そして、この柄部材１ａを柄１が縮む方向にスライドさせたときには、図１に示したように、その先端が他の筒状柄部材１ｂの先端より僅かに突出した位置で前記段差部が金具８の頭部の端面で係止され、各鉤２が折り畳んだ状態でケース４に収納されるようになっている。
【００１６】
また、この最先端の柄部材１ａの先端ねじ部には、軸方向移動可能に通されて各鉤２の基部２ａに当接する押圧リング１０と、押圧リング１０を介して各鉤２を放射状に張り出す方向に付勢するコイルばね１１と、ばね１１をバックアップする締付ナット１２とが取り付けられており、各鉤２がケース４から脱出するとばね１１の力で自動的に張り出すようになっている。
【００１７】
なお、この柄部材１ａの段差部より基端側は、可撓性を有する合成樹脂で形成するとよい。これにより、後述するように柄１を伸ばして釣りをするときに、この部分が鉤２にかかった獲物の重力で湾曲し、柄１の先端が下方を向いて獲物が鉤２から外れにくいようにすることができる。
【００１８】
前記ケース４およびキャップ５は、それぞれの外側面に孔のあいた突起４ａ、５ａが設けられており、各突起４ａ、５ａの孔を利用して両者を紐等で連結し、キャップ５を紛失しないようにすることができる。また、キャップ５には、中央部に通気孔５ｂも設けられている。なお、このキャップ５は必ずしも必要ではない。キャップ５がなくても、各鉤２はばね１１に付勢されてケース４の内側面に押し付けられていて、簡単にケース４から脱出することはないからである。
【００１９】
このすくいあげ具を釣りに使用するときには、図１の状態に縮めていた柄１の筒状柄部材１ｂの部分を伸ばして固定し、最小径の筒状柄部材１ｂの先端に取り付けられたケース４からキャップ５を取り外した後、人のいない方向に向けて強く振り出す。すると、その勢いで、図３に示すように、最先端の柄部材１ａが伸びる方向にスライドして、その先端部に取り付けられた各鉤２が、ケース４から脱出してばね１１の力で放射状に張り出す。このため、従来のように鉤を放射状に張り出した状態に固定する必要がなく、釣りの準備にかかる手間が少ない。また、使用後には、張り出した各鉤２をばね１１の力に抗して回動させるだけで簡単に折り畳むことができる。
【００２０】
図４は、このすくいあげ具の使用時の状態を示す。最先端の柄部材１ａは、その基端に取り付けられた抜止め片１３がケース取付金具８のねじ部の端面で係止されることにより、抜け止めされている。また、各鉤２は、その基部２ａをばね１１に付勢された押圧リング１０と支持部材３とで挟まれて、所定の角度で放射状に張り出している。すなわち、押圧リング１０および支持部材３は、各鉤２の基部２ａの回動角度を規制するストッパとしての役割を果たしている。
【００２１】
このとき、鉤２にかかった獲物が大きいと、その重量により各鉤２の基部２ａがばね１１の力に抗して押圧リング１０を押し戻しながら鉤先が開く方向に回動し、獲物が鉤２から外れてしまうおそれがある。そこで、大きい獲物を釣ろうとする場合に限っては、図５に示すように、予め締付ナット１２を押圧リング１０が押し戻されない位置まで締め込み、各鉤２の基部２ａの回動を固定しておく。これにより、獲物が重くても各鉤２の鉤先は所定の角度で保持され、確実に獲物をすくい上げることができる。
【００２２】
上述した実施形態では、鉤を折り畳んだ状態で収納するケースは、柄と一体に設けたが、柄とは別体として、このすくいあげ具を持ち運ぶときだけ折り畳んだ鉤に被せるようにしてもよい。
【００２３】
また、柄には、上述したように網式すくいあげ具の柄を兼用することもできるし、このすくいあげ具に専用の柄を使用することもできる。専用の柄を使用する場合は、必ずしも伸縮自在でなくてもよいし、ケースを柄に接着することもできる。
【００２４】
【発明の効果】
以上のように、この発明の釣用すくいあげ具は、各鉤の基部を柄の軸を含む平面内で回動自在に取り付け、各鉤を放射状に張り出す方向に付勢するばねと、各鉤の基部の回動角度を規制するストッパとを設けたものであるから、各鉤を折り畳んで安全に持ち運ぶことができ、かつ各鉤を折り畳んだり張り出したりするのに手間がかからず使い勝手がよい。
【００２５】
前記各鉤を折り畳んだ状態で収納するケースを備えることにより、折り畳んだ各鉤をケースに収納するだけで持ち運べる状態となり、持ち運びの際の手間をより少なくすることができる。
【００２６】
前記柄が複数の柄部材を長手方向に互いにスライド可能に連結して伸縮自在としたものである場合は、最先端以外のいずれかひとつの柄部材の先端部にケースを設け、柄を縮めたときに各鉤を折り畳んでケースに収納できるようにすることにより、柄を伸ばすと同時に各鉤をケースから脱出させて放射状に張り出させることができ、釣りの準備にかかる手間を少なくすることができる。
【図面の簡単な説明】
【図１】実施形態のすくいあげ具の持ち運びの際の状態を示す要部の縦断正面図
【図２】図１のＩＩ−ＩＩ線に沿った断面図
【図３】図１のすくいあげ具の使用方法を説明する要部の正面図
【図４】図１のすくいあげ具の使用時の状態を示す要部の一部切欠き縦断正面図
【図５】図１のすくいあげ具の鉤の固定方法を説明する要部の縦断正面図
【符号の説明】
１  柄
１ａ、１ｂ  柄部材
２  鉤
２ａ  基部
３  支持部材
４  ケース
５  キャップ
６  丸ナット
７  ゴム部材
８  金具
８ａ  貫通孔
９  針金
１０  押圧リング
１１  ばね
１２  ナット
１３  抜止め片
【図１】
0003605093.tif 000002
【図２】
0003605093.tif 000003
【図３】
0003605093.tif 000004
【図４】
0003605093.tif 000005
【図５】
0003605093.tif 000006